(57)【要約】【課題】非使用時に、筆記用ボールがチップ先端部の内壁面に密接するボールペンチップにおいて、筆記用ボールの略中心に、押圧力を付与することができ、書き味が滑らかなボールペンチップを提供することである。【解決手段】チップ先端部の内壁に密接する弁機構を具備してなるボールペンチップにおいて、前記ボール抱持室に、該筆記用ボールの直径よりも小さい支持ボールを３個以上、周方向に適宜離間して配設し、前記ボール抱持室内に、支持ボールと略同形の支持ボール座を設け、該支持ボール座に支持ボールを載せ、該支持ボールに、前記筆記用ボールを載置するとともに、前記コイルスプリングの棒軸部が、前記支持ボール間を挿通して、前記筆記用ボールに当接することを特徴とする。【選択図】        図１
2011011355.tif 000002
【特許請求の範囲】
【請求項１】
底壁の中央にインキ流通孔と、該インキ流通孔から放射状に延びる放射状溝を有するボール抱持室内に筆記用ボールを挿入し、チップ先端部を内側にかしめることにより、筆記用ボールの一部をチップ先端部より突出させて回転自在に抱持し、前記筆記用ボールを、コイルスプリングの棒軸部により前方に押圧し、前記チップ先端部の内壁に密接する弁機構を具備してなるボールペンチップにおいて、前記ボール抱持室に、該筆記用ボールの直径よりも小さい支持ボールを３個以上、周方向に適宜離間して配設し、前記ボール抱持室内に、支持ボールと略同形の支持ボール座を設け、該支持ボール座に支持ボールを載せ、該支持ボールに、前記筆記用ボールを載置するとともに、前記コイルスプリングの棒軸部が、前記支持ボール間を挿通して、前記筆記用ボールに当接することを特徴とするボールペンチップ。
【請求項２】
前記隣接する二つの支持ボール間の最小間隙が、前記棒軸部の線径よりも小さいことを特徴とする請求項１に記載のボールペンチップ。
【請求項３】
前記ボール抱持室の底壁に、支持ボールと略同形の支持ボール座を形成することを特徴とする請求項１または２に記載のボールペンチップ。
【発明の詳細な説明】
【技術分野】
【０００１】
本発明は、底壁の中央にインキ流通孔と、該インキ流通孔から放射状に延びる放射状溝を有するボール抱持室内にボールを挿入し、チップ先端部を内側にかしめることにより、筆記用ボールの一部をチップ先端部より突出させて回転自在に抱持し、前記筆記用ボールを、コイルスプリングの棒軸部により前方に押圧し、前記チップ先端部の内壁に密接する弁機構を具備してなるボールペンチップに関する。
【背景技術】
【０００２】
ボールの後端に、コイルスプリングを配設し、このコイルスプリングの弾発力によって、ボールをチップ先端部の内壁面に密接させるとともに、筆記時の筆圧によってボールとチップ先端部の内壁とに隙間を形成する弁機構を具備したボールペンチップはよく知られており、特開２０００−１５８８６９号公報「ボールペンチップ」には、コイルスプリングの棒軸部が移動しても、棒軸部が、放射状溝を閉鎖しない構造が開示されている。
【０００３】
また、チップ先端部に弁機構を具備したボールペンチップにおいて、特開２００６−１９８８３５号公報「ボールペンチップ」では、コイルスプリングの棒軸部のバリによる筆記不良等の不具合を防止するために、先端ボールの後端に、当接ボールを配設し、該当接ボールを、コイルスプリングにより、前記先端ボールに押圧して配設することが開示されている。
【０００４】
さらに、特開２０００−１０８５７３号公報「ボールペンチップ」では、ボールの後方に、球状の支持部材を配設し、ボールと支持部材を球面接触させることで、書き味を滑らかにする構造が開示されている。
【０００５】
ところで、弁機構を具備したボールペンチップは、ボールをチップ先端部の内壁面に密接することを意図しているが、ボールへの押圧力は、ボールの中心への押圧力を付与することで、ボールの傾きが発生せずにボールをチップ先端部の内壁面に密接しやすくなる。
【先行技術文献】
【特許文献】
【０００６】
【特許文献１】「特開２０００−１５８８６９号公報」
【特許文献２】「特開２００６−１９８８３５号公報」
【特許文献３】「特開２０００−１０８５７３号公報」
【発明の概要】
【発明が解決しようとする課題】
【０００７】
しかし、特許文献１では、コイルスプリングの線径は、φ０．１ｍｍ〜φ０．３ｍｍと極めて小径であり、この棒軸部に複数の通溝を形成することは非常に困難である。また、中心孔の後端部に、棒軸部の外径よりも小さい通溝を形成することは、製造工程の増加となり、製造コストが高騰する問題があった。
【０００８】
また、特許文献２では、コイルスプリングの棒軸部が移動して、当接ボールの中心から逸れて押圧してしまう問題があり、結果として、当接ボールが筆記用ボールの中心を押圧しない、或いは、棒軸部が、放射状溝を閉鎖してしまう等の問題があった。
【０００９】
さらに、特許文献３に、コイルスプリングを配設しても、支持部材が移動して、棒軸部が挿通する隙間を閉鎖する恐れがあり、或いは支持部材が移動し、支持ボール同士が当接すると、支持ボールの回転を阻害し、滑らかな筆感が得られ難いという問題があった。
【００１０】
本発明は上記問題を鑑み、非使用時に、筆記用ボールがチップ先端部の内壁面に密接するボールペンチップにおいて、筆記用ボールの略中心に、押圧力を付与することができ、書き味が滑らかなボールペンチップを提供するものである。
【課題を解決するための手段】
【００１１】
前記目的を達成するために本発明では、底壁の中央にインキ流通孔と、該インキ流通孔から放射状に延びる放射状溝を有するボール抱持室内に筆記用ボールを挿入し、チップ先端部を内側にかしめることにより、筆記用ボールの一部をチップ先端部より突出させて回転自在に抱持し、前記筆記用ボールを、コイルスプリングの棒軸部により前方に押圧し、前記チップ先端部の内壁に密接する弁機構を具備してなるボールペンチップにおいて、前記ボール抱持室に、該筆記用ボールの直径よりも小さい支持ボールを３個以上、周方向に適宜離間して配設し、前記ボール抱持室内に、支持ボールと略同形の支持ボール座を設け、該支持ボール座に支持ボールを載せ、該支持ボールに、前記筆記用ボールを載置するとともに、前記コイルスプリングの棒軸部が、前記支持ボール間を挿通して、前記筆記用ボールに当接することを特徴とする。
【００１２】
また、前記隣接する二つの支持ボール間の最小間隙が、前記棒軸部の線径よりも小さいことを特徴とする。
【発明の効果】
【００１３】
本発明は、非使用時に、筆記用ボールがチップ先端部の内壁面に密接するボールペンチップにおいて、筆記用ボールの略中心に、押圧力を付与することができ、書き味が滑らかなボールペンチップを提供することができた。
【図面の簡単な説明】
【００１４】
【図１】実施例１におけるボールペンチップの一部省略した要部縦断面図である。
【図２】図１におけるＡ−Ａ拡大断面図である。
【発明を実施するための形態】
【００１５】
本願発明の構成によれば、筆記用ボールの後方に、回転可能に支持ボールを配設することによって、筆記用ボールと支持ボールとが球面接触しているために、筆記用ボールを円滑に回転することができる。また、コイルスプリングの棒軸部が、支持ボール間を挿通して、筆記用ボールに当接しているため、筆記用ボールの中心に押圧力を付与することができる。
【００１６】
さらに、隣接する二つの支持ボール間の最小間隙が、前記棒軸部の線径よりも小さくすることで、支持ボール間に、棒軸部が移動してしまうことがなく、確実に筆記用ボールに棒軸部を導くことができる効果も奏する。
【実施例１】
【００１７】
以下、図面を参照して本発明の実施例を説明するが、本発明のボールペンチップは実施例に限定されるものではない。尚、図面中、同じ部材、同じ部品については同じ番号を付してある。
【００１８】
図１、図２に示すボールペンチップ１は、チップ本体２の中央にインキ流通孔８と該インキ流通孔８に連通する放射状に延びた６本の放射状溝７を有したボール抱持室５に、インキ流通溝７の幅よりも大きい径の支持ボール１０を３個挿入し、チップ先端側からハンマーリングして、底壁５に、支持ボール１０と略同形の支持ボール座６を設け、この支持ボール座に載置した３個の支持ボール１０上に、筆記用ボール９を載置し、チップ先端部３を内側にかしめることにより、筆記用ボール９の一部がチップ先端部３より突出するように回転自在に抱持している。
【００１９】
筆記用ボール９の後方には、筆記用ボール９をチップ先端側に押圧する、先端に棒軸部１１ａを有するコイルスプリング１１を配設してある。棒軸部１１は、３個の支持ボール１０の間隙を挿通して筆記用ボール９に当接している。
【００２０】
筆記用ボール９は、非使用時には、コイルスプリング１１の押圧力によってチップ先端部３の内壁面に密接しているとともに、筆記時の筆圧によって筆記用ボール９とチップ先端部３の内壁とに隙間を形成して、インキを紙面等に流出する弁機構となっている。
【００２１】
本発明は、コイルスプリング１１の棒軸部１１ａが、支持ボール１０間を挿通して、筆記用ボール９に当接しているため、筆記用ボール９の中心に押圧力を付与することができる。また、棒軸部１１ａが、支持ボール１０に当接しても球体であるために、スムーズに挿入することができる効果も奏する。
【００２２】
筆記時に筆記用ボール９と支持ボール１０とが球面接触しているために、筆記時に筆記用ボール９が滑らかに回転し、また、３個以上の支持ボール１０を離間して配設し、筆記用ボール９から伝わる筆圧を受け止め且つ支持ボール１０の回転を円滑にする、支持ボール１０と略同形の支持ボール座６を形成してあるため、書き味を一層滑らかにすることができる。
【００２３】
また、支持ボール１０は、支持ボール座６に載置して配設してあるため、コイルスプリング１１の棒軸部１１ａが挿通する隙間を閉鎖することがなく、組立性を向上させるとともに、コイルスプリング１１の棒軸部１１ａが挿通する隙間が離間し過ぎることもないため、筆記用ボール９の略中心に、押圧力を付与することができる。
【００２４】
尚、本発明は、筆記用ボール及び支持ボールの材質は、特に限定されるものではない。但し、筆記用ボールの算術平均粗さ（Ｒａ）よりも、支持ボールの算術平均粗さ（Ｒａ）が小さいほうが好ましい。これは、支持ボールの算術平均粗さ（Ｒａ）が、筆記用ボールの算術平均粗さ（Ｒａ）より大きいと、筆記用ボールの回転の弊害となることが危惧され、線飛び等の筆記不良の原因となるためである。具的的には、支持ボールの算術平均粗さ（Ｒａ）は、５ｎｍ以下であることが望ましい。
【００２５】
さらに、コイルスプリング１１の棒軸部１１ａの線径Ｌは特に限定されるものではないが、２つの支持ボール１０の最小間隙Ｍが、コイルスプリングの棒軸部の線径よりも大きいと、２つの支持ボール間に、棒軸部が移動してしまう恐れがあるため、２つの支持ボールの最小間隙をコイルスプリングの棒軸部の線径よりも小さくすることが好ましい。
【００２６】
尚、本実施例では便宜上、ボール抱持室の底壁に、筆記用ボールから伝わる筆圧を受け止め且つ支持ボールの回転を円滑にするために、支持ボール座を形成しているが、支持ボール座の形成位置は特に限定されるものではない。但し、３個以上の支持ボールを周方向に均等間隔に配設することが最も好ましく、インキ流通溝に支持ボールの載せ、支持ボール座を形成することで、均等間隔に支持ボールを維持し易い効果を奏するので好ましい。
【産業上の利用可能性】
【００２７】
本発明のボールペンチップは、水性、油性、剪断減粘性を付与したインキ等、インキの種類に限定されることなく、ボールペンとして広く利用できるものである。
【符号の説明】
【００２８】
１  ボールペンチップ
２  チップ本体
３  チップ先端部
４  ボール抱持室
５  底壁
６  支持ボール座
７  インキ流通溝
８  インキ流通孔
９  筆記用ボール
１０  支持ボール
１１  コイルスプリング
１１ａ  棒軸部
Ｌ  棒軸部の線径
Ｍ  ２つの支持ボールの間隙
【図１】
2011011355.tif 000003
【図２】
2011011355.tif 000004